(57)【要約】【課題】本発明は、照明制御システムに関し、照度を精度良く制御できる照明制御システムを得ることを目的とする。【解決手段】本発明に係る照明制御システムは、第１照度センサと、第１負荷の動作を制御する第１端末器と、該第１端末器に該第１負荷を制御させる第１照明コントローラと、を備える第１照明制御システムと、第２照度センサと、第２負荷の動作を制御する第２端末器と、該第２端末器に該第２負荷の動作を制御させる第２照明コントローラと、を備えた第２照明制御システムと、を備え、該第１照明コントローラは、該第１照度センサが検出した第１照度と、該第２照度センサが検出した第２照度に基づき、該第１端末器に該第１負荷を制御させ、または、該第２端末器に該第２負荷を制御させる。【選択図】図１
2019200957.tif 000002
【特許請求の範囲】
【請求項１】
第１照度センサと、第１負荷の動作を制御する第１端末器と、前記第１端末器に前記第１負荷を制御させる第１照明コントローラと、を備える第１照明制御システムと、
第２照度センサと、第２負荷の動作を制御する第２端末器と、前記第２端末器に前記第２負荷の動作を制御させる第２照明コントローラと、を備えた第２照明制御システムと、
を備え、
前記第１照明コントローラは、前記第１照度センサが検出した第１照度と、前記第２照度センサが検出した第２照度に基づき、前記第１端末器に前記第１負荷を制御させ、または、前記第２端末器に前記第２負荷を制御させることを特徴とする照明制御システム。
【請求項２】
前記第２照度センサは、前記第２照度を前記第２照明コントローラに送信し、
前記第２照明コントローラは、前記第２照度を前記第１照明コントローラに送信することを特徴とする請求項１に記載の照明制御システム。
【請求項３】
前記第２照明コントローラは、ＬＡＮを介し前記第１照明コントローラに前記第２照度を送信することを特徴とする請求項２に記載の照明制御システム。
【請求項４】
前記第１照明コントローラは、前記第１照度と前記第２照度に基づき、前記第２照明コントローラに制御指令を送信し、
前記制御指令は制御対象であるグループの情報を含み、
前記第２端末器は、自己が属するグループを記憶し、
前記第２照明コントローラは、前記制御指令を受信すると、前記制御対象であるグループの情報を前記第２端末器に送信し、
前記第２端末器は、前記制御対象であるグループと前記自己が属するグループとが一致すると、前記第２負荷を制御することを特徴とする請求項１から３の何れか１項に記載の照明制御システム。
【請求項５】
前記第１照明コントローラは、前記第１照度と前記第２照度を加重平均した算出照度に基づき、前記第１端末器に前記第１負荷を制御させ、または、前記第２端末器に前記第２負荷を制御させることを特徴とする請求項１から４の何れか１項に記載の照明制御システム。
【請求項６】
前記第１照明コントローラは、前記第１照度または前記第２照度が異常値である場合、前記異常値を前記加重平均の処理から除外することを特徴とする請求項５に記載の照明制御システム。
【請求項７】
前記第１照明コントローラは、前記第１照度および前記第２照度が異常値である場合、予め設定された照度に基づき、前記第１端末器に前記第１負荷を制御させ、または、前記第２端末器に前記第２負荷を制御させることを特徴とする請求項５または６に記載の照明制御システム。
【請求項８】
前記第１負荷と前記第２負荷は照明器具であり、
前記第１照明コントローラは、前記第１照度と前記第２照度を昼光による照度に基づき補正した補正照度と、目標照度と、の差分を算出し、前記差分を解消するように前記第１端末器または前記第２端末器に前記照明器具の調光率を制御させることを特徴とする請求項１から７の何れか１項に記載の照明制御システム。
【請求項９】
前記補正照度は、前記照明器具の調光率で決まる前記照明器具の照度に、前記昼光による照度を足した値であることを特徴とする請求項８に記載の照明制御システム。
【請求項１０】
前記昼光による照度は、前記第１照度と前記第２照度に基づき算出された算出照度と、前記照明器具の調光率で決まる前記照明器具の照度と、の差分に前記第１照度センサと前記第２照度センサの取り付け位置に応じた補正係数を掛けた値であることを特徴とする請求項９に記載の照明制御システム。
【請求項１１】
人感センサを備え、
前記第１照明コントローラは、前記人感センサが人の不在を検知している間は、前記第１照度と前記第２照度に基づき、前記第１端末器および前記第２端末器を制御しないことを特徴とする請求項１から１０の何れか１項に記載の照明制御システム。
【発明の詳細な説明】
【技術分野】
【０００１】
本発明は、照明制御システムに関する。
【背景技術】
【０００２】
特許文献１には、中央処理装置に伝送線を介して、複数の照明器具を制御する複数の制御端末器、センサ端末器および人感センサが接続された照明制御システムが開示されている。センサ端末器は、例えば、机上面の照度を一定制御するために照明器具を調光制御するための端末器である。
【先行技術文献】
【特許文献】
【０００３】
【特許文献１】特開２０１３−２０１０８７号公報
【発明の概要】
【発明が解決しようとする課題】
【０００４】
一般に、中央処理装置から伝送される信号を送受信する制御端末器に負荷として照明器具が接続された照明制御システムがある。制御端末器は子機インタフェース装置とも呼ばれる。また、このような照明制御システムを複数まとめて、複数系統のローカルシステムを備えた遠隔監視制御システムが構成されることがある。
【０００５】
このような遠隔監視制御システムにおいて、ローカルシステムの各々に特許文献１に示されるような照明制御システムを適用することを考える。この場合、ローカルシステム毎にグループ制御が成されることとなる。このため、１つのローカルシステムに設けられた照度センサまたは人感センサから、他のローカルシステムに設けられた複数の制御端末器を制御することはできない。このような遠隔監視制御システムにおいて、１つのローカルシステムから他のローカルシステムを制御する場合、機器増設または配線変更が必要となる可能性がある。
【０００６】
また、複数系統のローカルシステムを一斉に制御するために、ローカルシステム間で情報を伝達するユニットを増設することが考えられる。この場合、ユニットの増設が必要である。また、ユニットが故障すると、ユニットをまたいで制御される機器が全て、動作不良となってしまうおそれがあった。
【０００７】
また、特許文献１では、照明制御システムに複数の照度センサを設けることが想定されていない。このため、例えば広い空間の調光を行う照明制御システムでは、照度を正確に制御できない可能性がある。
【０００８】
本発明は、上述の課題を解決するためになされたもので、照度を精度良く制御できる照明制御システムを得ることを目的とする。
【課題を解決するための手段】
【０００９】
本発明に係る照明制御システムは、第１照度センサと、第１負荷の動作を制御する第１端末器と、該第１端末器に該第１負荷を制御させる第１照明コントローラと、を備える第１照明制御システムと、第２照度センサと、第２負荷の動作を制御する第２端末器と、該第２端末器に該第２負荷の動作を制御させる第２照明コントローラと、を備えた第２照明制御システムと、を備え、該第１照明コントローラは、該第１照度センサが検出した第１照度と、該第２照度センサが検出した第２照度に基づき、該第１端末器に該第１負荷を制御させ、または、該第２端末器に該第２負荷を制御させる。
【発明の効果】
【００１０】
本発明に係る照明制御システムでは、複数の照度センサが検出した照度に基づき、第１端末器が第１負荷の動作を制御する。従って、照度を精度良く制御できる。
【図面の簡単な説明】
【００１１】
【図１】実施の形態１に係る照明制御システムのブロック図である。
【図２】実施の形態１に係る照明制御システムにおける通信フレームの構成を説明する図である。
【図３】実施の形態１に係るグループ情報登録およびゾーン情報登録の通信シーケンスを説明する図である。
【図４】実施の形態１に係る人感センサのセンサ情報を用いた通信シーケンスを説明する図である。
【図５】実施の形態２に係る昼光補正を説明する図である。
【図６】実施の形態２に係る補正係数を説明する図である。
【図７】実施の形態２に係る照度センサのセンサ情報を用いた通信シーケンスを説明する図である。
【図８】実施の形態３に係る照明制御システムのブロック図である。
【図９】実施の形態３に係るグループ情報登録の通信シーケンスを説明する図である。
【図１０】実施の形態３に係る照度センサのセンサ情報を用いた通信シーケンスを説明する図である。
【発明を実施するための形態】
【００１２】
本発明の実施の形態に係る照明制御システムについて図面を参照して説明する。同じ又は対応する構成要素には同じ符号を付し、説明の繰り返しを省略する場合がある。
【００１３】
実施の形態１．
図１は、実施の形態１に係る照明制御システム１０のブロック図である。照明制御システム１０は、設定器１と、第１照明制御システム１１と、第２照明制御システム１２とを備える。
【００１４】
設定器１は、照明制御システム１０の一斉点灯、スケジュール点灯等の設定操作を行う。また、設定器１は、消費電力の見える化、故障箇所の把握等の管理を行う。設定器１は、例えばパソコンで構成される。
【００１５】
第１照明制御システム１１は、第１負荷の動作を制御する複数の第１端末器３−１を備える。これに限らず、第１照明コントローラ２−１には、第１端末器３−１が少なくとも１台接続されれば良い。第１端末器３−１の各々には複数のリモコンリレー６が接続される。各々のリモコンリレー６には第１負荷が接続される。第１負荷は、例えば照明器具２０である。図１では便宜上、第１負荷の一部が省略されている。
【００１６】
第１照明制御システム１１は、制御装置である第１照明コントローラ２−１を備える。第１照明コントローラ２−１は、第１端末器３−１に第１負荷の動作を制御させる。さらに、第１照明制御システム１１は、図示しない壁スイッチ、第１センサ５−１及びリモコントランス７を備える。
【００１７】
第１センサ５−１は、第１照度センサＬＳ１および第１人感センサＨＳ１を含む。第１照度センサＬＳ１は、照度を測定する。第１照度センサＬＳ１は、第１照明コントローラ２−１からモニタ信号を受信すると、測定した照度を第１照明コントローラ２−１に送信する。第１人感センサＨＳ１は、検知範囲内の人の存在および不在を検出する。第１人感センサＨＳ１は、人の存在および不在の状態変化を検知すると第１照明コントローラ２−１に状態を送信する。
【００１８】
複数の第１端末器３−１は、通信線８１によって第１照明コントローラ２−１と接続されている。通信線８１には、図示しない壁スイッチ並びに第１センサ５−１も接続される。第１照明コントローラ２−１に接続された機器間は、一対の通信線８１を渡り配線することにより接続される。通信線８１にて接続された機器は、双極性の時分割多重信号で互いに通信する。双極性の時分割多重信号は、例えば±２４Ｖの信号である。
【００１９】
第１端末器３−１の制御線とリモコンリレー６の入力側の一端は、制御信号線で接続されている。図１では、１台の端末器に対し、４台のリモコンリレー６の入力側の一端が制御信号線を介して接続されている。なお、リモコンリレー６を内蔵した第１端末器３−１を第１照明コントローラ２−１に接続してもよい。
【００２０】
リモコントランス７の入力側は、外部電源に接続される。リモコントランス７は、第１端末器３−１の制御側及びリモコンリレー６の入力側にリモコンリレー６のリレー駆動電力を供給する。リレー駆動電力は、例えばＡＣ２４Ｖである。リモコントランス７の出力側の一端は、第１端末器３−１の共通端子に接続される。また、リモコントランス７の出力側の他端は、リモコンリレー６の入力側の他端に接続される。
【００２１】
第１照明コントローラ２−１は、通信線８１を介して第１端末器３−１、図示しない壁スイッチ及び第１センサ５−１と通信を行う。第１照明コントローラ２−１が送受信する通信信号は、後述するようにアドレスデータ及び制御コマンドデータを含む。第１端末器３−１は、ディップスイッチ等で構成されたアドレス設定部を備える。アドレス設定部を操作することにより、第１端末器３−１の各々に固有のアドレスが割り当てられる。
【００２２】
第１端末器３−１は、通信線８１を介して第１照明コントローラ２−１が送信する通信信号を受信する受信部を備える。また、第１端末器３−１は、通信信号のアドレスデータを第１端末器３−１に割り当てられた固有のアドレスと比較する比較部を有する。比較部が、通信信号のアドレスデータが第１端末器３−１に割り当てられた固有のアドレスと一致すると判断した場合、第１端末器３−１は通信信号の制御コマンドを実行する。つまり、第１端末器３−１は、共通端子とリモコンリレー６の入力側の一端との間を電気的に接続させる。この第１端末器３−１の制御側の動作により、リモコンリレー６の入力側には、リモコントランス７からリレー駆動電力が供給される。
【００２３】
リモコンリレー６の入力側にリレー駆動電力が入力されると、リモコンリレー６は負荷側の２つの端子間を断続させる。リモコンリレー６の負荷側の２つの端子間には、外部電源と照明器具２０等の負荷が直列に接続される。これにより、照明器具２０等の負荷に供給される外部電源の電力を断続させることができる。このようにして、第１端末器３−１は、負荷である照明器具２０等の動作を制御する。また、第１端末器３−１は、第１照明コントローラ２−１から調光指令を受信し、接続された照明器具２０に調光信号を出力することもできる。
【００２４】
なお、壁スイッチ及び第１センサ５−１がアドレス設定部を備えている場合、壁スイッチ及び第１センサ５−１のアドレスは、アドレス設定部の操作により設定されても良い。壁スイッチ及び第１センサ５−１がアドレス設定部を備えていない場合、壁スイッチ及び第１センサ５−１のアドレスは、通電時に設定器１または図示しないリモコン設定器を用いて設定される。
【００２５】
第２照明制御システム１２の構成は、第１照明制御システム１１と同様である。第２照明制御システム１２は、第２負荷の動作を制御する複数の第２端末器３−２を備える。第２負荷は、例えば照明器具２０である。第２照明制御システム１２は、制御装置である第２照明コントローラ２−２を備える。第２照明コントローラ２−２は、第２端末器３−２に第２負荷の動作を制御させる。第２照明コントローラ２−２には、第２端末器３−２が少なくとも１台接続されれば良い。また、第２照明制御システム１２は、第２センサ５−２を備える。
【００２６】
第２センサ５−２は、第２照度センサＬＳ２および第２人感センサＨＳ２を含む。第２照度センサＬＳ２は、照度を測定する。第２照度センサＬＳ２は、第２照明コントローラ２−２からモニタ信号を受信すると、測定した照度を第２照明コントローラ２−２に送信する。第２人感センサＨＳ２は、検知範囲内の人の存在および不在を検出する。第２人感センサＨＳ２は、人の存在および不在の状態変化を検知すると第２照明コントローラ２−２に状態を送信する。
【００２７】
また、設定器１、第１照明コントローラ２−１及び第２照明コントローラ２−２は、有線または無線の通信網であるイーサネット（登録商標）等のＬＡＮ（Ｌｏｃａｌ  Ａｒｅａ  Ｎｅｔｗｏｒｋ）８０により接続されている。
【００２８】
図２は、実施の形態１に係る照明制御システム１０における通信フレームの構成を説明する図である。通信フレームは、照明制御システム１０内で送受信される通信信号の単位である。通信信号に含まれる送信先アドレス領域には、機器アドレス、グループ番号またはゾーン番号を指定可能である。
【００２９】
機器アドレスは、第１照明コントローラ２−１、第２照明コントローラ２−２及び第１照明コントローラ２−１、第２照明コントローラ２−２に接続されている機器のアドレスを示す。グループ番号は、各照明コントローラに接続される機器のうち、一括して制御される機器のグループの番号である。また、ゾーン番号は、第１照明制御システム１１と第２照明制御システム１２とに亘った制御対象領域であるゾーンの番号である。ゾーンには、第１照明コントローラ２−１に接続された機器及び第２照明コントローラ２−２に接続された機器が含まれる。
【００３０】
通信信号に含まれる送信元アドレス領域には、通信信号の送信元の機器のアドレスが指定される。コマンド領域には、通信信号によるコマンドの種類が指定される。また、データ領域には、コマンドに対応したデータが指定される。
【００３１】
図２に示されるグループ情報登録は、グループに属する機器を各照明コントローラに登録するコマンドである。このとき、データ領域には、グループに含まれる機器のアドレスが指定される。ゾーン情報登録は、ゾーンに属するグループを各照明コントローラに登録するコマンドである。このとき、データ領域にはゾーンに属するグループ番号またはゾーンに属するセンサの情報が指定される。
【００３２】
ゾーン制御指令は、照明コントローラ間で送受信されるコマンドである。壁スイッチは、ゾーンを指定するボタンを有する。第１照明コントローラ２−１に通信線８１を介して接続された壁スイッチのボタンの操作に応じて、第１照明コントローラ２−１は第２照明コントローラ２−２にゾーン制御指令を送信する。第１照明コントローラ２−１は、ＬＡＮ８０を介し第２照明コントローラ２−２にゾーン制御指令を送信する。第２照明コントローラ２−２は、ゾーン制御指令に応じて複数の第２端末器３−２のうちゾーンに属する第２端末器３−２に第２負荷の動作を制御させる。
【００３３】
また、第２照明コントローラ２−２が第１照明コントローラ２−１にゾーン制御指令を送信しても良い。第２照明コントローラ２−２は、ＬＡＮ８０を介し第１照明コントローラ２−１にゾーン制御指令を送信する。第１照明コントローラ２−１は、ゾーン制御指令に応じて複数の第１端末器３−１のうちゾーンに属する第１端末器３−１に第１負荷の動作を制御させる。
【００３４】
ゾーン制御指令に対応するデータ領域には、ゾーン番号及び調光指令が指定される。調光指令は、照明器具２０のＯＮ／ＯＦＦ、調光情報またはフェード時間等を含む。フェード時間は目標とする調光率までの遷移時間である。
【００３５】
グループ番号登録は、各機器にグループ番号を登録するコマンドである。このとき、データ領域には、登録するグループ番号が指定される。
【００３６】
スイッチ情報登録は、壁スイッチのボタンに、ボタンが属するゾーンまたはグループを登録するコマンドである。このとき、データ領域には、ボタンが属するゾーンまたはグループを示すボタン属性と、ボタンの番号とが指定される。
【００３７】
ボタン操作通知は、壁スイッチが、ボタンが押下されたことを第１照明コントローラ２−１または第２照明コントローラ２−２に通知するコマンドである。このとき、データ領域には、押下されたボタンのボタン属性と番号が指定される。
【００３８】
グループ制御指令は、第１照明コントローラ２−１から第１照明コントローラ２−１の配下のグループに、または、第２照明コントローラ２−２から第２照明コントローラ２−２の配下のグループに送信されるコマンドである。壁スイッチは、グループを指定するボタンを有する。第１照明コントローラ２−１は、第１照明コントローラ２−１に通信線８１を介して接続された壁スイッチのボタンの操作によって指定されたグループに属する第１端末器３−１に、グループ制御指令を送信する。第１端末器３−１は、グループ制御指令に応じて第１負荷を制御する。また、第２照明コントローラ２−２は、第２照明コントローラ２−２に通信線８１を介して接続された壁スイッチのボタンの操作によって指定されたグループに属する第２端末器３−２に、グループ制御指令を送信する。第２端末器３−２は、グループ制御指令に応じて第２負荷を制御する。
【００３９】
また、第１照明コントローラ２−１は、第１センサ５−１からのセンサ情報に応じて、第１センサ５−１が属するグループにグループ制御指令を送信する。また、第２照明コントローラ２−２は、第２センサ５−２からのセンサ情報に応じて、第２センサ５−２が属するグループにグループ制御指令を送信する。グループ制御指令に対応するデータ領域には、調光指令が指定される。調光指令は、照明器具２０のＯＮ／ＯＦＦ、調光情報またはフェード時間等を含む。
【００４０】
スイッチ表示指令は、各照明コントローラから壁スイッチに送信されるコマンドである。壁スイッチは表示部を備える。スイッチ表示指令に応じて、壁スイッチは第１端末器３−１または第２端末器３−２の状態を表示部に表示させる。このとき、データ領域には、照明器具２０のＯＮ／ＯＦＦまたは調光情報が指定される。
【００４１】
個別制御指令は、第１照明コントローラ２−１から第１照明コントローラ２−１の配下の機器に、または、第２照明コントローラ２−２から第２照明コントローラ２−２の配下の機器に送信されるコマンドである。壁スイッチは、配下の機器を指定するボタンを有する。第１照明コントローラ２−１は、ボタンの操作によって指定された第１端末器３−１に、個別制御指令を送信する。第１端末器３−１は、個別制御指令に応じて負荷を制御する。
【００４２】
また、第２照明コントローラ２−２は、ボタンの操作によって指定された第２端末器３−２に、個別制御指令を送信する。第２端末器３−２は、個別制御指令に応じて負荷を制御する。個別制御指令に対応するデータ領域には、調光指令が指定される。調光指令は、照明器具２０のＯＮ／ＯＦＦ、調光情報またはフェード時間等を含む。
【００４３】
人感センサ情報登録は、第１照明コントローラ２−１から第１人感センサＨＳ１に、または、第２照明コントローラ２−２から第２人感センサＨＳ２に送信されるコマンドである。このとき、データ領域には、後述する保持時間が設定される。
【００４４】
照度センサ情報登録は、第１照明コントローラ２−１から第１照度センサＬＳ１に、または、第２照明コントローラ２−２から第２照度センサＬＳ２に送信されるコマンドである。このとき、データ領域には、後述する基準照度が設定される。
【００４５】
人感センサ状態通知は、第１人感センサＨＳ１から第１照明コントローラ２−１に、または、第２人感センサＨＳ２から第２照明コントローラ２−２に送信されるコマンドである。人感センサ状態通知は、１つの人感センサから複数の照明コントローラに送信されても良い。このとき、データ領域には、第１人感センサＨＳ１が検知した第１センサ情報または第２人感センサＨＳ２が検知した第２センサ情報が設定される。第１センサ情報と第２センサ情報は、人の存在、不在または人の在／不在が不定であることを示す情報である。
【００４６】
人感センサ状態モニタは、第１照明コントローラ２−１から第１人感センサＨＳ１に、または、第２照明コントローラ２−２から第２人感センサＨＳ２に送信される状態応答を要求するコマンドである。人感センサ状態モニタは、１つの照明コントローラから複数の人感センサに送信されても良い。このとき、データ領域にはデータが設定されない。
【００４７】
人感センサ状態応答は、第１人感センサＨＳ１から第１照明コントローラ２−１に、または、第２人感センサＨＳ２から第２照明コントローラ２−２に送信されるコマンドである。人感センサ状態応答は、１つの人感センサから複数の照明コントローラに送信されても良い。このとき、データ領域には、人の存在、不在または人の在／不在が不定であることを示す情報が設定される。
【００４８】
照度センサ状態モニタは、第１照明コントローラ２−１から第１照度センサＬＳ１に、または、第２照明コントローラ２−２から第２照度センサＬＳ２に送信される状態応答を要求するコマンドである。照度センサ状態モニタは、１つの照明コントローラから複数の照度センサに送信されても良い。このとき、データ領域にはデータが設定されない。
【００４９】
照度センサ状態応答は、第１照度センサＬＳ１から第１照明コントローラ２−１に、または、第２照度センサＬＳ２から第２照明コントローラ２−２に送信されるコマンドである。照度センサ状態応答は、１つの照度センサから複数の照明コントローラに送信されても良い。このとき、データ領域には、第１照度センサＬＳ１が測定した第１照度または第２照度センサＬＳ２が測定した第２照度が設定される。
【００５０】
なお、図２において各コマンドの左欄には、コマンドの送信先が個別の機器、グループまたはゾーンの何れであるかが示されている。Ａは送信先が個別の機器、Ｂは送信先がグループ、Ｃは送信先がゾーンであることを示す。
【００５１】
このように、各照明コントローラは通信線８１を介し、機器アドレスを指定して個別制御指令を送信することにより、個々の機器を個別に操作できる。また、各照明コントローラは通信線８１を介し、グループ番号を指定してグループ制御指令を送信することにより、グループ内の機器を一斉に操作できる。さらに、各照明コントローラはＬＡＮ８０及び通信線８１を介し、ゾーン番号を指定してゾーン制御指令を送信することにより、他の照明コントローラに接続された機器を操作できる。
【００５２】
ここで、各グループ番号に割り当てられた個々の機器は、設定器１により第１照明コントローラ２−１、第２照明コントローラ２−２のそれぞれに情報登録される。表１に、第１照明コントローラ２−１および第２照明コントローラ２−２におけるグループ番号への設定例を示す。
【００５３】
【表１】
2019200957.tif 000003
【００５４】
表１において、ＬＣ１は第１照明コントローラ２−１を示し、ＬＣ２は第２照明コントローラ２−２を示す。また、ＬＣ１の行においてＴＵ１〜ＴＵ３は複数の第１端末器３−１を示す。また、ＬＣ２の行においてＴＵ１〜ＴＵ３は複数の第２端末器３−２を示す。Ｇ１はグループ１のグループ番号であり、Ｇ２はグループ２のグループ番号である。また、Ｇ１のまたぎ列及びＧ２のまたぎ列は、グループに含まれる機器のうちＬＡＮ８０と、他の照明コントローラとを介して接続される機器およびグループを示す。
【００５５】
第１人感センサＨＳ１、第２人感センサＨＳ２、第１照度センサＬＳ１および第２照度センサＬＳ２は、グループ１とグループ２のいずれかに登録される。照明コントローラは、これらのセンサからのセンサ情報を受信すると、センサが属するグループの端末器をセンサ情報に応じて制御する。
【００５６】
照明コントローラに通信線８１を介し接続される機器は、表１のＧ１列及びＧ２列に示すように、機器のアドレスがそのまま照明コントローラのグループ情報に登録される。これに対し、照明コントローラにＬＡＮ８０と他の照明コントローラとを介して接続される機器は、表１のＧ１のまたぎ列及びＧ２のまたぎ列に示すように、機器が通信線８１で接続される照明コントローラのアドレス付きでグループ情報に登録される。表１のＧ１のまたぎ列及びＧ２のまたぎ列に示されるまたぎ領域の情報を、またぎ情報またはゾーン情報と呼ぶ。ゾーン情報は、少なくとも１つのグループから構成される。
【００５７】
第１照明コントローラ２−１のグループ１には、第１端末器３−１であるＴＵ１、ＴＵ２、ＴＵ３、第１人感センサＨＳ１及び第１照度センサＬＳ１が登録されている。第１照明コントローラ２−１のグループ１のまたぎ領域には、第２照明コントローラ２−２のグループ１、第２人感センサＨＳ２及び第２照度センサＬＳ２が登録されている。第１照明コントローラ２−１のグループ２には、またぎ領域を含め登録がない。
【００５８】
また、第２照明コントローラ２−２のグループ１には、第２端末器３−２であるＴＵ１、第２人感センサＨＳ２及び第２照度センサＬＳ２が登録されている。第２照明コントローラ２−２のグループ１のまたぎ領域には登録がない。第２照明コントローラ２−２のグループ２には、第２端末器３−２であるＴＵ２及びＴＵ３が登録されている。第２照明コントローラ２−２のグループ２のまたぎ領域には、登録がない。
【００５９】
本実施の形態では、第１照明コントローラ２−１のグループ１のまたぎ領域に、第２人感センサＬＣ２−ＨＳ２が登録されている。これは、第１照明コントローラ２−１が、第２人感センサＬＣ２−ＨＳ２の第２センサ情報に応じて、グループ１に属する端末器を制御することを意味する。このように、本実施の形態では、第１照明コントローラ２−１は、第２センサ情報に応じて第１端末器３−１または第２端末器３−２を制御するか否かの情報を記憶している。
【００６０】
図３は、実施の形態１に係るグループ情報登録およびゾーン情報登録の通信シーケンスを説明する図である。図３を用いて、照明制御システム１０の登録処理の動作の一例を説明する。
【００６１】
先ず、設定器１またはリモコン設定器は、ＬＡＮ８０を介して第１照明コントローラ２−１にグループ情報登録及びゾーン情報登録のコマンドを送信する。グループ情報登録に対応するデータ領域には、Ｇ１＝ＴＵ１、ＴＵ２、ＴＵ３、ＨＳ１、ＬＳ１、またぎ＝ＬＣ２−Ｇ１、ＬＣ２−ＨＳ２、ＬＣ２−ＬＳ２という情報が設定される。ゾーン情報登録に対応するデータ領域には、ＬＣ２−ＨＳ２、ＬＣ２−ＬＳ２という情報が設定される。第１照明コントローラ２−１は、グループ情報及びゾーン情報を不揮発性メモリに保存する。
【００６２】
次に、第１照明コントローラ２−１は、通信線８１を介して第１端末器３−１であるＴＵ１、ＴＵ２及びＴＵ３にグループ番号登録コマンドを送信する。第１端末器３−１は自己が属するグループ番号を記憶する。
【００６３】
次に、第１照明コントローラ２−１は、通信線８１を介して第１人感センサＨＳ１に人感センサ情報登録のコマンドを送信する。第１人感センサＨＳ１は、第１照明コントローラ２−１から送信された保持時間を保存する。ここで、保持時間とは、人感センサが人の存在または不在を検出した時間から、人の存在または不在の検出状態を保持する時間である。保持時間を設けることにより、人感センサの在／不在の検出状態のチャタリングを抑制できる。
【００６４】
また、第１照明コントローラ２−１は、通信線８１を介して第１照度センサＬＳ１に照度センサ情報登録のコマンドを送信する。第１照度センサＬＳ１は、第１照明コントローラ２−１から送信された後述する基準調光率及び基準照度を保存する。
【００６５】
同様に設定器１またはリモコン設定器は、ＬＡＮ８０を介して第２照明コントローラ２−２にグループ情報登録コマンド及びゾーン情報登録のコマンドを送信する。グループ情報登録に対応するデータ領域には、Ｇ１＝ＴＵ１、ＨＳ２、ＬＳ２、Ｇ２＝ＴＵ２、ＴＵ３という情報が設定される。ゾーン情報登録に対応するデータ領域には、ＨＳ２（ＬＣ１へまたぎ）、ＬＳ２（ＬＣ１へまたぎ）というまたぎ情報が設定される。第２照明コントローラ２−２は、グループ情報及びゾーン情報を不揮発性メモリに保存する。
【００６６】
第２照明コントローラ２−２は、通信線８１を介して第２端末器であるＴＵ１、ＴＵ２及びＴＵ３にグループ番号登録コマンドを送信する。第２端末器３−２は自己が属するグループ番号を記憶する。
【００６７】
第２照明コントローラ２−２は、通信線８１を介して第２人感センサＨＳ２に人感センサ情報登録コマンドを送信する。第２人感センサＨＳ２は、第２照明コントローラ２−２から送信された保持時間を保存する。また、第２照明コントローラ２−２は、通信線８１を介して第２照度センサＬＳ２に照度センサ情報登録コマンドを送信する。第２照度センサＬＳ２は、第２照明コントローラ２−２から送信された基準調光率及び基準照度を保存する。
【００６８】
図４は、実施の形態１に係る人感センサのセンサ情報を用いた通信シーケンスを説明する図である。図４を用いて、照明コントローラをまたいで実施される人感センサ情報を用いたグループ制御の動作の一例を説明する。本実施の形態では、第２照明コントローラ２−２に通信線８１を介して接続された第２人感センサＨＳ２の在／不在通知に基づき、第１照明コントローラ２−１に接続された第１端末器３−１の点灯を制御する例を説明する。
【００６９】
図４の通信ａに示すように、第２人感センサＨＳ２が人の存在を検出したとする。このとき、第２人感センサＨＳ２は、通信線８１を介して第２照明コントローラ２−２に人感センサ状態通知を送信する。この信号のデータ領域には、ＨＳ２＝在という情報が含まれる。
【００７０】
第２照明コントローラ２−２は、不揮発性メモリに登録されたまたぎ情報であるＨＳ２（ＬＣ１へまたぎ）を参照して、ＬＡＮ８０を介して第１照明コントローラ２−１に人感センサ状態通知を送信する。この信号のデータ領域には、ＬＣ２−ＨＳ２＝在という情報が含まれる。ＬＣ２−ＨＳ２＝在は、第２照明コントローラ２−２の配下の第２人感センサＨＳ２が人の存在を検知したことを示す。これにより、第１照明コントローラ２−１にＬＣ２−ＨＳ２＝在という情報が通知される。
【００７１】
本実施の形態では、またぎ情報であるＨＳ２（ＬＣ１へまたぎ）に基づき、第２照明コントローラ２−２は、第２センサ情報を第１照明コントローラ２−１に送信する。このように、第２照明コントローラ２−２は、第２センサ情報を第１照明コントローラ２−１に送信するか否かの情報を記憶している。
【００７２】
第１照明コントローラ２−１は、グループ情報に登録されたＧ１＝ＨＳ１を参照し、第１人感センサＨＳ１の在／不在通知に基づきグループ１をグループ制御する。また、第１照明コントローラ２−１は、グループ情報に登録されたまたぎ＝ＬＣ２−ＨＳ２を参照し、第２人感センサＬＣ２−ＨＳ２の在／不在通知に基づきグループ１をグループ制御する。
【００７３】
即ち、第１照明コントローラ２−１は、第１人感センサＨＳ１と第２人感センサＨＳ２の少なくとも一方が人の存在を検知すると、グループ１の第１端末器３−１であるＴＵ１〜ＴＵ３に第１負荷を制御させる。このとき、第１照明コントローラ２−１は、ＴＵ１〜ＴＵ３に接続された照明器具２０を点灯させる。
【００７４】
一方、第１人感センサＨＳ１及び第２人感センサＨＳ２の双方が不在通知であるときは、第１照明コントローラ２−１はグループ１の第１端末器３−１に接続された照明器具２０を消灯させる。
【００７５】
つまり、第１照明コントローラ２−１は、第１人感センサＨＳ１が検知した第１センサ情報と第２人感センサＨＳ２が検知した第２センサ情報との論理和ＯＲを演算する。第１センサ情報と第２センサ情報は、人の存在または不在を示す情報である。第１センサ情報と第２センサ情報のＯＲを演算した結果に応じて、第１照明コントローラ２−１は、端末器に照明制御指令を送信する。
【００７６】
人感センサ状態通知によりＬＣ２−ＨＳ２＝在という情報が通知された第１照明コントローラ２−１は、通信線８１を介してグループ制御指令を送信する。この信号のデータ領域には、Ｇ１＝ＯＮという情報が含まれる。グループ制御指令は第１端末器３−１であるＴＵ１〜ＴＵ３にグループ同報される。第１端末器３−１であるＴＵ１〜ＴＵ３は、グループ制御指令の送信先アドレスに指定されるグループ番号であるＧ１と、自己の属するグループ番号を比較する。送信先アドレスのグループ番号と自機器に登録されたグループ番号が一致した場合、対象機器はグループ制御指令を処理する。
【００７７】
従って、グループ１に属するＴＵ１、ＴＵ２及びＴＵ３は、制御側をＯＮさせることにより、接続された照明器具２０を点灯させる。第１端末器３−１がリモコンリレー６を内蔵している場合、制御側は負荷側に対応する。
【００７８】
また、第１照明コントローラ２−１は、グループ１のグループ情報に登録されたまたぎ＝ＬＣ２−Ｇ１を参照して、ＬＡＮ８０を介して第２照明コントローラ２−２にグループ制御指令を送信する。この信号のデータ領域には、ＬＣ２−Ｇ１＝ＯＮという情報が含まれる。グループ制御指令を受信した第２照明コントローラ２−２は、通信線８１を介してグループ制御指令を送信する。この信号のデータ領域にはＧ１＝ＯＮという情報が含まれる。
【００７９】
グループ制御指令は第２端末器３−２であるＴＵ１〜ＴＵ３にグループ同報される。第２端末器３−２であるＴＵ１〜ＴＵ３のうち、グループ１に属するＴＵ１は、制御側をＯＮさせることにより、接続された照明器具２０を点灯させる。
【００８０】
次に、通信ｂに示されるように第１人感センサＨＳ１が人の存在を検出したとする。第１人感センサＨＳ１は、通信線８１を介して第１照明コントローラ２−１に人感センサ状態通知を送信する。この信号のデータ領域には、ＨＳ１＝在という情報が含まれる。
【００８１】
人感センサ状態通知を受信した第１照明コントローラ２−１は、ＨＳ１＝在と、既に状態通知されたＬＣ２−ＨＳ２＝在との論理和を計算する。両者の論理和は在となる。このとき、第１照明コントローラ２−１は前状態である点灯状態を維持することとなり、制御指令を送信しない。
【００８２】
ここで、受信した人感センサ状態通知に在または不在のデータが付随していない場合、第１照明コントローラ２−１は、人感センサ状態通知を送信した人感センサが故障していると判断する。このとき、第１照明コントローラ２−１は論理和の演算にこのセンサ情報を使用しない。つまり、第１照明コントローラ２−１は、第１センサ情報または第２センサ情報が異常な情報である場合、異常な情報を論理和の演算から除外する。
【００８３】
また、論理和の演算に用いる全てのセンサ情報が異常であると第１照明コントローラ２−１が判断した場合、第１照明コントローラ２−１は、グループ１の機器にＯＦＦを指令する不在制御等の制御指令を送信しない。
【００８４】
次に、通信ｃに示すように、第２人感センサＨＳ２が人の不在を判断したとする。このとき、第２人感センサＨＳ２は通信線８１を解して人感センサ状態通知を送信する。この信号のデータ領域には、ＨＳ１＝不在という情報が含まれる。ここで、第２人感センサＨＳ２は、人の不在検出の後、保持時間が経過しても不在検出を維持している場合に、人の不在を示す人感センサ状態通知を送信する。
【００８５】
人感センサ状態通知を受信した第２照明コントローラ２−２は、不揮発性メモリに登録されたまたぎ情報であるＨＳ２（ＬＣ１へまたぎ）を参照して、第１照明コントローラ２−１に人感センサ状態通知を送信する。この信号のデータ領域には、ＬＣ２−ＨＳ２＝不在という情報が含まれる。これにより、第１照明コントローラ２−１にＬＣ２−ＨＳ２＝不在が通知される。
【００８６】
人感センサ状態通知を受信した第１照明コントローラ２−１は、ＬＣ２−ＨＳ２＝不在と、既に状態通知されたＬＣ１−ＨＳ１＝在との論理和を計算する。論理和は在となる。このとき、第１照明コントローラ２−１は前状態である点灯状態を維持することとなり、制御指令を送信しない。
【００８７】
次に通信ｄに示されるように、第１人感センサＨＳ１が不在と判断し、通信線を解してＨＳ１＝不在という情報を伴う人感センサ状態通知を送信したとする。人感センサ状態通知を受信した第１照明コントローラ２−１は、ＨＳ１＝不在と、既に状態通知されたＬＣ２−ＨＳ２＝不在との論理和を計算する。論理和は不在となる。このとき、照明器具２０の前状態は点灯状態であるため、第１照明コントローラ２−１は状態を変更する。つまり、第１照明コントローラ２−１は、不在制御のグループ制御指令を送信する。この信号のデータ領域にはＧ１＝ＯＦＦという情報が含まれる。
【００８８】
グループ制御指令は第１端末器３−１であるＴＵ１〜ＴＵ３にグループ同報される。ＴＵ１〜ＴＵ３は全てグループ１に属するため、制御側をＯＦＦさせることにより、それぞれに接続された照明器具２０を消灯させる。
【００８９】
第１照明コントローラ２−１は、グループ１に登録されたまたぎ＝ＬＣ２−Ｇ１を参照して、ＬＡＮ８０を介してグループ制御指令を送信する。この信号のデータ領域にはＬＣ２−Ｇ１＝ＯＦＦという情報が含まれる。
【００９０】
グループ制御指令を受信した第２照明コントローラ２−２は、通信線８１を介してグループ制御指令を送信する。この信号のデータ領域にはＧ１＝ＯＦＦという情報が含まれる。グループ制御指令は第２端末器３−２であるＴＵ１〜ＴＵ３にグループ同報される。ＴＵ１〜ＴＵ３のうちグループ１に属するＴＵ１は、制御側をＯＦＦさせることにより、負荷として接続された照明器具２０を消灯させる。
【００９１】
上述したように、第１人感センサＨＳ１と第２人感センサＨＳ２は、人の在／不在の状態変化を検知するとセンサ情報を第１照明コントローラ２−１または第２照明コントローラ２−２に送信する。また、第２照明コントローラ２−２は、第２センサ情報が、人が存在する状態から不在の状態へ、または、人が不在の状態から存在する状態へ変化すると、またぎ情報を参照して第１照明コントローラ２−１に第２センサ情報を送信する。
【００９２】
また、通信ｅに示されるように、照明コントローラが人感センサにモニタ信号である人感センサ状態モニタを送信して、人感センサの状態応答を得ても良い。
【００９３】
以下に、照明コントローラが人感センサにモニタ信号を送信したときの、照明制御システム１０の動作の一例を説明する。第１照明コントローラ２−１は、グループ情報であるＧ１＝ＨＳ１、またぎ＝ＬＣ２−ＨＳ２を参照し、通信線８１を介して第１人感センサＨＳ１に人感センサ状態モニタを送信する。第１人感センサＨＳ１は、通信線８１を介して第１照明コントローラ２−１に人感センサ状態応答を送信する。
【００９４】
同様に第１照明コントローラ２−１は、ＬＡＮ８０を介して第２照明コントローラ２−２に人感センサ状態モニタを送信する。第２照明コントローラ２−２は、通信線８１を介して第２人感センサＨＳ２に人感センサモニタを送信する。第２人感センサＨＳ２は、モニタ信号に応じて通信線８１を介して第２照明コントローラ２−２に第２センサ情報を伴う人感センサ状態応答を送信する。第２照明コントローラ２−２は、またぎ情報であるＨＳ２（ＬＣ１へまたぎ）を参照して、第１照明コントローラ２−１に人感センサ状態応答を送信する。
【００９５】
例えば、照明制御システム１０の運用中に通信異常が発生し、人感センサの状態を照明コントローラがモニタできなかった場合に、照明コントローラが人感センサにモニタ信号を送信する必要が生じる。このとき、照明コントローラが人感センサに状態モニタ信号を送信することにより、人感センサの状態と照明コントローラが保持している人感センサの状態を一致させることができる。
【００９６】
また、人感センサは起動直後の例えば３０秒間、不定状態となることがある。人感センサから照明コントローラに不定状態が通知された場合、照明コントローラは人感センサから受信した不定信号を論理和の演算から除外する。このような場合に、照明コントローラが人感センサに状態モニタ信号を送信する必要が生じる。
【００９７】
また、第１照明コントローラＬＣ１は一定の周期でモニタ信号を送信し、状態の更新を行っても良い。周期は例えば１秒である。第１照明コントローラＬＣ１は、１秒毎に１台の人感センサにモニタ信号を送信する。
【００９８】
本実施の形態では、上述のように照明制御システム１０を構成することにより、以下の効果が得られる。第１照明コントローラ２−１は、通信線８１で接続された第１人感センサＨＳ１の第１センサ情報と、第２照明コントローラ２−２に接続された第２人感センサＨＳ２の第２センサ情報とに基づき、第１端末器３−１および第２端末器３−２を制御できる。これにより、センサが１つの場合よりも人の検出の精度を向上できる。
【００９９】
また、本実施の形態では第２人感センサＨＳ２の第２センサ情報が、第１照明コントローラ２−１に送信される。これにより、例えば、第１人感センサＨＳ１が人を検出できず、第２人感センサＨＳ２が人を検出した場合に、第１照明コントローラ２−１は第２センサ情報に基づき第１端末器３−１および第２端末器３−２を制御できる。従って、人が存在する場合に、確実に照明器具２０を点灯させることができる。
【０１００】
また、例えば、第１照明制御システム１１に人感センサが設けられない場合にも、第２照明制御システム１２の第２センサ５−２で第１照明制御システム１１を制御できる。このため、センサの数を低減でき、照明制御システム１０の構成を簡略化できる。
【０１０１】
また、第１照明コントローラ２−１は、自己の配下の機器の情報と第２照明コントローラ２−２の配下の第２センサ５−２の情報とを含むグループ情報を記憶する。このグループ情報を用いることで、第１照明コントローラ２−１は、第２センサ５−２からの第２センサ情報に応じて容易に第１端末器３−１または第２端末器３−２を制御できる。
【０１０２】
また、第２照明コントローラ２−２は、自己の配下の第２センサ５−２からの第２センサ情報を第１照明コントローラ２−１に送信するか否かのまたぎ情報を記憶する。第２照明コントローラ２−２は、またぎ情報を用いることで、第２センサ情報を第１照明コントローラ２−１に送信して、容易に第１端末器３−１または第２端末器３−２を制御できる。
【０１０３】
また、第１照明コントローラ２−１が記憶するグループ情報には、第２照明コントローラ２−２の配下のグループ番号が含まれる。このグループ情報を用いることで、第１照明コントローラ２−１は、センサ情報に応じてこのグループ番号に対応する第２端末器３−２を容易に制御できる。
【０１０４】
このようなグループ制御を行う際、本実施の形態では上位の照明コントローラ等の機器を増設する必要がない。また、配線変更を行う必要もない。さらに、本実施の形態では、通信にグループ番号を用いることで、第１端末器３−１と第２端末器３−２との制御を同報通信で実現できる。これにより、通信量の増大および通信遅れを抑制し、人感センサの検出から端末器の制御までの時間を高速化できる。
【０１０５】
また、本実施の形態では、複数の照度センサのセンサ情報の論理和により、端末器を制御する。これにより、人の検出の精度を向上できる。
【０１０６】
本実施の形態の変形例として、照明制御システム１０は３つ以上の照明コントローラを備えても良い。また、第１照明コントローラ２−１は、複数の照度センサのうち一部のセンサからのセンサ情報に基づき、第１端末器３−１または第２端末器３−２を制御しても良い。例えば、第１照明コントローラ２−１は、第２センサ５−２が検知した第２センサ情報に基づき、第１端末器３−１に第１負荷を制御させ、または、第２端末器３−２に第２負荷を制御させても良い。
【０１０７】
また、本実施の形態では第１照明コントローラ２−１は、照度センサに限らず、あらゆるセンサからのセンサ情報に応じて端末器を制御しても良い。また、本実施の形態では、各々の照明コントローラに通信線８１を介してセンサが接続されているが、例えば第２照明コントローラ２−２のみにセンサが接続されても良い。
【０１０８】
これらの変形は以下の実施の形態に係る照明制御システムについて適宜応用することができる。なお、以下の実施の形態に係る照明制御システムについては実施の形態１との共通点が多いので、実施の形態１との相違点を中心に説明する。
【０１０９】
実施の形態２．
本実施の形態では、照明コントローラが照度センサからのセンサ情報に応じて端末器を制御する点が、実施の形態１と異なる。第１照明コントローラ２−１は、第１照度センサＬＳ１が検出した第１照度と、第２照度センサＬＳ２が検出した第２照度に基づき、第１端末器３−１に第１負荷を制御させ、または、第２端末器３−２に第２負荷を制御させる。
【０１１０】
まず、基準照度について説明する。基準照度とは、基準調光率で発光する照明器具を点灯させた状態で照度計を用いて測定された照度である。
【０１１１】
第１照度センサＬＳ１と第２照度センサＬＳ２の出力値は、調光率と比例する。ここで、第１照度センサＬＳ１と第２照度センサＬＳ２の出力値は、８ビットＡ／Ｄ変換値の場合０〜２５５となる。このとき、照明器具の調光率と基準照度を用いて第１照度センサＬＳ１と第２照度センサＬＳ２の出力値を照度に変換できる。例えば、基準調光率５０％で発光する照明器具の基準照度が５００ｌｘであったとする。基準調光率１％当たりの照度を使用すると、調光率３０％のときの照明器具による照度は３００ｌｘとなる。
【０１１２】
図５は、実施の形態２に係る昼光補正を説明する図である。図５を用いて、照度センサの設置場所に昼光が入射するときの照度を算出する昼光補正を説明する。昼光が入射する場合、照度センサの照度変換値は、照明器具により得られる照度の寄与分と、昼光による照度の寄与分との和となる。
【０１１３】
基準調光率５０％で発光するときの基準照度が５００ｌｘの照明器具を調光率３０％で発光させたとき、照度センサによる照度変換値が６００ｌｘであったとする。調光率３０％で発光させた照明器具により得られる照度は、３００ｌｘであるので、昼光による照度の寄与分は６００ｌｘ−３００ｌｘ＝３００ｌｘとなる。
【０１１４】
ところが、一般に目標照度から昼光による照度の寄与分である３００ｌｘ分を差し引いて照明器具を発光させると、実際に得られる照度が暗く感じることがある。これは、昼光による照度の寄与分を照度センサが過大に測定しているためと考えられる。そこで、昼光による照度の寄与分の補正を行う。
【０１１５】
図６は、実施の形態２に係る補正係数Ｈを説明する図である。補正係数Ｈは第１照度センサＬＳ１と第２照度センサＬＳ２の取り付け位置に応じて決まる。補正係数Ｈは、照度センサの窓からの距離、窓の高さ及び取り付け位置から決定される。図６に示すように、窓の下端から水平方向に伸びる水平面と、この水平面に対して照度センサから垂直に引いた垂線とを考える。垂線と水平面との交点と窓の中心部とを繋ぐ直線と、垂線との成す角はθである。補正係数Ｈはｃｏｓθとなる。本実施の形態では、補正係数Ｈとして例えば５０％を用いる。
【０１１６】
このとき、補正後の昼光による照度は、３００ｌｘに補正係数Ｈを掛けた値となる。つまり、補正後の昼光による照度は１５０ｌｘとなる。従って、昼光入射時の補正照度は、照明器具２０の調光率で決まる照明器具２０の照度３００ｌｘに、補正後の昼光による照度１５０ｌｘを足した値となる。つまり、昼光入射時の補正照度は、４５０ｌｘとなる。以上から、補正照度＝照度センサによる照度変換値×補正係数Ｈ＋照明器具により得られる照度×（１−補正係数Ｈ）となる。
【０１１７】
次に、照明コントローラをまたいで実施される照度センサ情報を用いたグループ制御の動作の一例を説明する。表２に、第１照明コントローラ２−１、第２照明コントローラ２−２におけるグループ番号への設定例を示す。
【０１１８】
【表２】
2019200957.tif 000004
【０１１９】
第１照明コントローラ２−１のグループ１には、第１端末器３−１であるＴＵ１、ＴＵ２、ＴＵ３、第１人感センサＨＳ１及び第１照度センサＬＳ１が登録されている。第１照明コントローラ２−１のグループ１のまたぎ領域には、第２照明コントローラ２−２のグループ１、第２人感センサＨＳ２及び第２照度センサＬＳ２が登録されている。第１照明コントローラ２−１のグループ２には、またぎ領域を含め登録がない。
【０１２０】
また、第２照明コントローラ２−２のグループ１には、第２端末器３−２であるＴＵ１、ＴＵ２、ＴＵ３、第２人感センサＨＳ２及び第２照度センサＬＳ２が登録されている。第２照明コントローラ２−２のグループ１のまたぎ領域には登録がない。第２照明コントローラ２−２のグループ２には、第２端末器３−２であるＴＵ２及びＴＵ３が登録されている。第２照明コントローラ２−２のグループ２のまたぎ領域には、登録がない。
【０１２１】
図７は、実施の形態２に係る照度センサのセンサ情報を用いた通信シーケンスを説明する図である。調光制御は、照明コントローラから照度センサへ周期Ｔ毎に照度センサ状態モニタの指令を出すことにより実施される。周期Ｔは、照度センサ情報収集、グループ制御及びグループ制御待ち時間から構成される。周期Ｔは、例えば３０秒である。周期３０秒以内に、グループ制御待ち時間までの処理が完了しなかった場合、次の周期Ｔまで照度センサ情報収集の開始を待機する。つまり、照明コントローラは割り込み処理を次の周期Ｔまで行わない。
【０１２２】
周期Ｔは、設定器１またはリモコン設定器で設定される。周期Ｔは照明コントローラに保管される変更可能な値である。照度センサがグループ内に複数ある場合、照明コントローラは、応答がある毎に順次、照度センサ状態モニタを照度センサに送信し、モニタする。
【０１２３】
他の照明コントローラをまたいだグループ制御を管理する照明コントローラは、自己の配下の照度センサ及びまたぎ領域に設定されている照度センサから得られた照度を加重平均する。つまり、第１照明コントローラ２−１は、第１照度と第２照度を加重平均した算出照度に基づき、第１端末器３−１に第１負荷を制御させ、または、第２端末器３−２に第２負荷を制御させる。
【０１２４】
他の照明コントローラをまたいだグループ制御を管理する照明コントローラは、複数の照明コントローラのうち、グループ情報にまたぎ情報を持つ照明コントローラである。この照明コントローラは、またぎ情報を排他的に有していても良い。
【０１２５】
他の照明コントローラをまたいだグループ制御を管理する照明コントローラは、加重平均した算出照度を昼光補正する。昼光補正に必要なデータである基準調光率、基準照度及び目標照度は、設定器１から照明コントローラへ送信される。他の照明コントローラをまたいだグループ制御を管理する照明コントローラは、昼光補正により昼光入射時の現在の補正照度を算出する。他の照明コントローラをまたいだグループ制御を管理する照明コントローラは、現在の補正照度から目標調光率を算出する。
【０１２６】
他の照明コントローラをまたいだグループ制御を管理する照明コントローラは、通信線８１で接続された自己の配下の端末器に目標調光率及びフェード時間をグループ制御指令する。
【０１２７】
他の照明コントローラをまたいだグループ制御を管理する照明コントローラは、他の照明コントローラに目標調光率及びフェード時間をグループ制御指令する。他の照明コントローラは、通信線８１で接続された自己の配下の端末器に目標調光率及びフェード時間をグループ制御指令する。
【０１２８】
次に、図７の通信ｆに示される照度センサ情報収集について説明する。照度センサ情報収集では、第１照明コントローラ２−１が、第１照度センサＬＳ１及び第２照度センサＬＳ２の情報を収集する。第１照明コントローラ２−１は、不揮発性メモリに記憶されたグループ１のグループ情報に含まれる照度センサの情報を参照し、通信線８１を介して接続された第１照度センサＬＳ１に照度センサ状態モニタを送信する。照度センサ状態モニタは、照度センサに現在の照度をモニタ要求するコマンドである。
【０１２９】
第１照度センサＬＳ１は、一定周期で照度Ｉを測定している。一定周期は例えば０．５ｓである。照度センサ状態モニタを受信した第１照度センサＬＳ１は、現在時刻ｎの測定値である照度Ｉ（ｎ）と直前時刻ｎ−１の測定値である照度Ｉ（ｎ−１）を加重平均する。つまり、第１照度は例えば単純平均値を用いた場合、（Ｉ（ｎ）＋Ｉ（ｎ−１））／２となる。ここで、直前時刻は、現在時刻ｎの１周期前の時刻である。また、現在時刻は照度センサ状態モニタの受信時刻であっても良い。
【０１３０】
第１照度センサＬＳ１は、通信線８１を介して第１照明コントローラ２−１に照度センサ状態応答を送信する。照度センサ状態応答は、現在の第１照度をデータ領域に含む。なお、加重平均は現在時刻ｎと直前時刻ｎ−１とで異なる重み付けでもよい。また、直前時刻ｎ−１以外の時刻の照度Ｉを用いて加重平均が行われても良い。また、照度センサから送信される照度は、単位ｌｘで送信されても良く、照度に対応するＡ／Ｄ変換値で送信されても良い。
【０１３１】
同様に、第１照明コントローラ２−１は、送信先アドレスを第２照度センサＬＣ２−ＬＳ２に設定し、ＬＡＮ８０を介して照度センサ状態モニタを送信する。照度センサ状態モニタを受信した第２照明コントローラ２−２は、通信線８１を介して第２照度センサＬＳ２に照度センサ状態モニタを送信する。
【０１３２】
第２照度センサＬＳ２は、通信線８１を介して第２照明コントローラ２−２に第２照度を伴う照度センサ状態応答を送信する。照度センサ状態応答を受信した第２照明コントローラ２−２は、不揮発性メモリに登録されたまたぎ情報であるＬＳ２（ＬＣ１へまたぎ）を参照して、ＬＡＮ８０を介して第１照明コントローラ２−１に照度センサ状態応答を送信する。
【０１３３】
次に、第１照度センサＬＳ１及び第２照度センサＬＳ２から、時間軸で加重平均された照度値を受信した第１照明コントローラ２−１は、通信ｇに示されるように照度処理を行う。照度処理は、加重平均化処理と昼光補正処理を含む。以下、第１照度センサＬＳ１が照度５００ｌｘを送信し、第２照度センサＬＳ２が照度４００ｌｘを送信した場合について説明する。
【０１３４】
第１照明コントローラ２−１は先ず、第１照度５００ｌｘ及び第２照度４００ｌｘを加重平均する。本実施の形態では、加重平均として単純平均を選択した場合を考える。グループ１の加重平均した現在の算出照度は４５０ｌｘとなる。
【０１３５】
ここで、第１照明コントローラ２−１は、第１照度または第２照度が異常値である場合、異常値を加重平均の処理から除外する。つまり、第１照明コントローラ２−１は、照度センサが故障したと判断した場合、異常値を加重平均に含めない。
【０１３６】
また、第１照明コントローラ２−１は、第１照度および第２照度が共に異常値である場合、予め設定された照度に基づき、第１端末器３−１に第１負荷を制御させ、または、第２端末器３−２に該第２負荷を制御させる。つまり、グループ１の全ての照度センサが故障した場合、第１照明コントローラ２−１は、予め設定されたデフォルト値の調光率で照明器具２０を点灯させる。また、現在の照度の最大値、最小値を除いた値で加重平均を行っても良い。
【０１３７】
次に、第１照明コントローラ２−１は昼光補正を行う。本実施の形態では、前提条件として、基準調光率５０％時の基準照度として２５０ｌｘが得られる照明器具２０で照明制御システム１０が構成されているとする。また、加重平均した現在照度が４５０ｌｘのときに、調光率７０％で照明器具２０が点灯していたとする。更に、目標照度を３００ｌｘとする。
【０１３８】
調光率７０％で点灯している照明器具２０から得られる照度は、３５０ｌｘである。従って、昼光による照度の寄与分は、４５０ｌｘ−３５０ｌｘ＝１００ｌｘとなる。補正係数Ｈとして５０％を用いた場合、補正後の昼光による照度は、５０ｌｘとなる。つまり、補正後の昼光による照度は、第１照度と第２照度に基づき算出された算出照度と、照明器具２０の調光率で決まる照明器具２０の照度との差分に補正係数Ｈを掛けた値である。従って、グループ１において第１照度と第２照度を昼光による照度に基づき補正した補正照度は、３５０ｌｘ＋５０ｌｘ＝４００ｌｘとなる。目標照度が３００ｌｘであるから、照明器具２０から得られる照度を１００ｌｘ下げる必要がある。従って、グループ１の目標調光率は５０％となる。
【０１３９】
次に、目標調光率に基づき複数の照明コントローラに接続された端末器を調光制御する動作について説明する。第１照明コントローラ２−１は、通信線８１で接続された第１端末器３−１であるＴＵ１、ＴＵ２及びＴＵ３にグループ制御指令を送信する。この信号のデータ領域には、Ｇ１−５０％、フェード１００という情報が含まれる。グループ１の目標調光率が５０％であり、フェード時間が１００秒であることを示す。
【０１４０】
ここで、フェード時間とは、現在調光率から目標調光率まで変化させる際に、照度が急激に変化しないよう確保された時間である。一般に、１秒間に１％の割合で照度を変化させると、使用者は照度の変化に気づきにくい。フェード値が１００のとき、最大の変化となる０％から１００％までの変化に要する時間が１００秒確保されていることを意味する。
【０１４１】
第１照明コントローラ２−１は、フェード時間をグループ制御待ち時間として管理する。第１照明コントローラ２−１は、フェード中に次の照度測定を実施しない。言い換えると、フェード中に周期Ｔがカウントアップされても、さらに周期Ｔだけ待ってから次の照度測定を行う。
【０１４２】
本実施の形態の端末器は、通常の場合、調光率を１秒に１％の割合で変化させる仕様となっている。そのため、現在調光率７０％から目標調光率５０％まで変化させるのに、２０秒を要する。つまり、グループ制御待ち時間は２０秒となる。これに限らず、端末器は、現在調光率から目標調光率まで１００秒掛けて変化させてもよい。
【０１４３】
グループ制御指令を受信した第１端末器３−１は、送信先アドレスのグループ番号であるＧ１と、自己の属するグループ番号とを比較する。送信先アドレスのグループ番号と自機器に登録されたグループ番号が一致した場合、対象機器はグループ制御指令を処理する。つまり、グループ１に属する第１端末器３−１であるＴＵ１〜ＴＵ３は、現在調光率７０％から目標調光率５０％までフェード時間以内に調光率を変化させる。
【０１４４】
第１照明コントローラ２−１は、不揮発性メモリに保存されたグループ１のグループ情報を参照して、送信先アドレスをＬＣ２−Ｇ１に指定してＬＡＮ８０を介してグループ制御指令を送信する。つまり、グループ制御指令は制御対象であるグループの情報を含む。また、グループ制御指令のデータ領域は、グループ１の目標調光率が５０％であり及びフェード時間が１００秒であるという情報が含まれる。
【０１４５】
グループ制御指令を受信した第２照明コントローラ２−２は、不揮発性メモリに保存されたグループ１のグループ情報を参照する。第２照明コントローラ２−２は、送信先アドレスを制御対象であるグループ１のグループ番号であるＧ１に指定して、通信線８１を介してグループ制御指令送信する。第２端末器３−２は自己が属するグループを記憶している。グループ制御指令を受信した第２端末器３−２であるＴＵ１〜ＴＵ３は、自己が属するグループ番号を参照し、制御対象であるグループと自己が属するグループとが一致すると、第２負荷を制御する。つまり、グループ１に属する第２端末器３−２であるＴＵ１〜ＴＵ３は、現在調光率７０％から目標調光率５０％まで調光率を変更させる。
【０１４６】
このように、第１照明コントローラ２−１は、補正照度と目標照度との差分を算出し、差分を解消するように第１端末器３−１または第２端末器３−２に照明器具２０の調光率を制御させる。
【０１４７】
次に、通信ｈに示されるように、第１照明コントローラ２−１が、第１照度センサＬＳ１及び第２照度センサＬＳ２の情報を新たに収集する動作について説明する。第１照明コントローラ２−１は、第１照度センサＬＳ１に照度センサ状態モニタを送信する。第１照度センサＬＳ１は、第１照明コントローラ２−１に照度センサ状態応答を送信する。
【０１４８】
同様に第１照明コントローラ２−１は、送信先アドレスを第２照度センサＬＣ２−ＬＳ２に設定し、ＬＡＮ８０を介して照度センサ状態モニタを送信する。照度センサ状態モニタ信号を受信した第２照明コントローラ２−２は、通信線８１を介して第２照度センサＬＳ２に照度センサ状態モニタを送信する。
【０１４９】
第２照度センサＬＳ２は、通信線８１を介して第２照明コントローラ２−２に照度センサ状態応答を送信する。照度センサ状態応答を受信した第２照明コントローラ２−２は、ＬＡＮ８０を介して第１照明コントローラ２−１に照度センサ状態応答を送信する。
【０１５０】
ここでは、第１照度センサＬＳ１が測定した第１照度が６００ｌｘであり、第２照度センサＬＳ２が測定した第２照度が５００ｌｘであったとする。通信ｉに示されるように、第１照明コントローラ２−１は照度処理を行う。先ず、第１照明コントローラ２−１は第１照度センサＬＳ１の照度６００ｌｘ及び第２照度センサＬＳ２の照度５００ｌｘを加重平均する。加重平均として単純平均が選択されたときの算出照度は、５５０ｌｘとなる。
【０１５１】
次に、第１照明コントローラ２−１はグループ１の昼光補正を行う。調光率５０％で点灯している照明器具２０から得られる照度は、基準調光率及び基準照度から２５０ｌｘである。従って、昼光による照度の寄与分は、５５０ｌｘ−２５０ｌｘ＝３００ｌｘとなる。補正係数Ｈとして５０％を用いた場合、補正後の昼光による照度は、１５０ｌｘとなる。従って、昼光入射時の現在の補正照度は、２５０ｌｘ＋１５０ｌｘ＝４００ｌｘとなる。目標照度が３００ｌｘであるから、照明器具２０から得られる照度を更に１００ｌｘ下げる必要がある。従って、新たな目標調光率は、３０％となる。
【０１５２】
次に、新たに収集した照度情報に基づき複数の照明コントローラに接続された端末器を調光制御する動作について説明する。第１照明コントローラ２−１は通信線８１で接続された第１端末器３−１にグループ制御指令を送信する。この信号のデータ領域には、Ｇ１−３０％、フェード１００という情報が含まれる。これは、グループ１の目標調光率が３０％であり、フェード時間が１００秒であることを示す。
【０１５３】
グループ制御指令を受信した第１端末器３−１であるＴＵ１〜ＴＵ３は、現在の調光率５０％から新たな目標調光率３０％まで、１秒間に１％の割合で調光率を変化させる。
【０１５４】
第１照明コントローラ２−１は、グループ１のまたぎ情報であるＬＣ２−Ｇ１を参照し、送信先アドレスをＬＣ２−Ｇ１に指定してＬＡＮ８０を介してグループ制御指令を送信する。グループ制御指令のデータ領域は、グループ１の目標調光率が３０％であり及びフェード時間が１００秒であるという情報が含まれる。
【０１５５】
グループ制御指令を受信した第２照明コントローラ２−２は、通信線８１を介してグループ制御指令を送信する。グループ同報されたグループ制御指令を受信した第２端末器３−２であるＴＵ１〜ＴＵ３は、全てグループ１に登録されている。このため、第２端末器３−２であるＴＵ１〜ＴＵ３は、現在の調光率５０％から新たな目標調光率３０％まで、１秒間に１％の割合で調光率を変化させる。
【０１５６】
このように、本実施の形態では、第１照明コントローラ２−１は、複数の照度センサにより送信された照度を用いて複数の端末器に制御信号を送信する。これにより、照度センサが１つのみの場合よりも照度を精度良く制御できる。特に、照明制御システム１０が複数系統のローカルシステムを有し、ローカルシステム毎に照度センサが設けられている場合にも、ローカルシステムをまたいで複数の照度センサからの照度に基づいて照度を精度良く制御できる。
【０１５７】
また、第２照明制御システム１２の第２センサ５−２のセンサ情報は、第１照明制御システム１１にも同報される。このため、例えば、第１照明制御システム１１にセンサが設けられない場合にも、第２照明制御システム１２のセンサで第１照明制御システム１１を制御できる。このため、センサの数を低減でき、照明制御システム１０の構成を簡略化できる。
【０１５８】
また、複数の照度センサにより送信された照度を用いて複数の端末器を制御することで、照度センサの設置場所による昼光の影響の受けやすさの差から生じる測定誤差を抑制できる。また、昼光補正を行うことで、昼光の影響を考慮して精度良く調光制御ができる。即ち、照明空間の照度を確保しつつ、昼光による照度への寄与を考慮することで省エネを図ることができる。
【０１５９】
また、本実施の形態では複数の照度センサに応じて端末器を制御するために、または、複数のローカルシステムを一斉に制御するために、上位の制御器を新たに設置する必要がない。また、配線を変更する必要が無い。このため、低コストで上述の制御を実現できる。
【０１６０】
本実施の形態の変形例として、センサは第１照明制御システム１１と第２照明制御システム１２のうち一方のみに設けられても良い。また、照度センサと人感センサが同一グループに含まれる場合、第１照明コントローラ２−１は、人感センサが人の不在を検知している間は、第１照度と第２照度に基づき、第１端末器３−１および第２端末器３−２を制御しないものとしても良い。
【０１６１】
実施の形態３．
図８は、実施の形態３に係る照明制御システム２１０のブロック図である。図８に示されるように、１台の照明コントローラに複数の照度センサが接続されても良い。照明制御システム２１０は、第１照明コントローラ２−１を備える。第１照明コントローラ２−１には、通信線８１を介してＴＵ１〜ＴＵ６で示される６台の第１端末器３−１と、第１照度センサＬＳ１と、第２照度センサＬＳ２が接続されている。
【０１６２】
本実施の形態ではグループ１として、第１端末器３−１であるＴＵ１〜ＴＵ４、第１照度センサＬＳ１及び第２照度センサＬＳ２が設定される。また、グループ２として、第１端末器３−１であるＴＵ５、ＴＵ６及び第２照度センサＬＳ２が設定される。
【０１６３】
図９は、実施の形態３に係るグループ情報登録の通信シーケンスを説明する図である。設定器１またはリモコン設定器は、ＬＡＮ８０を介して第１照明コントローラ２−１にグループ情報登録のコマンドを送信する。この信号のデータ領域にはＧ１＝ＴＵ１、ＴＵ２、ＴＵ３、ＴＵ４、ＬＳ１、ＬＳ２、Ｇ２＝ＴＵ５、ＴＵ６、ＬＳ２という情報が設定される。第１照明コントローラ２−１は、グループ情報を不揮発性メモリに保存する。
【０１６４】
第１照明コントローラ２−１は、通信線８１を介して第１端末器３−１であるＴＵ１〜ＴＵ６にグループ番号登録のコマンドを送信する。第１端末器３−１は自己が属するグループ番号を記憶する。また、第１照明コントローラ２−１は、通信線８１を介して第１照度センサＬＳ１及び第２照度センサＬＳ２に照度センサ情報登録のコマンドを送信する。第１照度センサＬＳ１及び第２照度センサＬＳ２は、第１照明コントローラ２−１から送信された基準調光率及び基準照度を保存する。
【０１６５】
図１０は、実施の形態３に係る照度センサのセンサ情報を用いた通信シーケンスを説明する図である。図１０を用いて、複数の照度センサの情報を用いたグループ制御の動作の一例を説明する。本実施の形態では、第１照度センサＬＳ１及び第２照度センサＬＳ２から第１照明コントローラ２−１に送信された照度情報に基づき、グループ１であるＴＵ１〜ＴＵ４の調光を制御する例を説明する。また、第２照度センサＬＳ２から第１照明コントローラ２−１に送信された照度情報に基づき、グループ２であるＴＵ５、ＴＵ６の調光を制御する例を説明する。
【０１６６】
まず、通信ｊに示すように、第１照明コントローラ２−１が、第１照度センサＬＳ１及び第２照度センサＬＳ２の情報を収集する動作について説明する。第１照明コントローラ２−１は、不揮発性メモリに記憶されたグループ１のグループ情報に含まれる照度センサの情報を参照し、通信線８１を介して接続された第１照度センサＬＳ１及び第２照度センサＬＳ２に照度センサ状態モニタを送信する。
【０１６７】
第１照度センサＬＳ１及び第２照度センサＬＳ２は、通信線８１を介して第１照明コントローラ２−１に照度センサ状態応答を送信する。本実施の形態でも、実施の形態１と同様に第１照度センサＬＳ１が照度５００ｌｘを送信し、第２照度センサＬＳ２が照度４００ｌｘを送信した場合について説明する。
【０１６８】
通信ｋに示されるように、第１照明コントローラ２−１は照度処理を行う。第１照明コントローラ２−１は、第１照度センサＬＳ１が測定した第１照度５００ｌｘと第２照度センサＬＳ２が測定した第２照度４００ｌｘを加重平均する。加重平均した現在の算出照度は、４５０ｌｘとなる。
【０１６９】
次に、第１照明コントローラ２−１は昼光補正を行う。実施の形態１と同様に、基準調光率５０％時の基準照度として２５０ｌｘが得られる照明器具２０で照明制御システム２１０が構成されているとする。また、加重平均した算出照度が４５０ｌｘのときに、調光率７０％で照明器具２０が点灯していたとする。更に、目標照度を３００ｌｘとする。
【０１７０】
実施の形態１と同様の計算により、グループ１の昼光入射時の補正照度は４００ｌｘとなり、グループ１の目標調光率は５０％となる。
【０１７１】
第１照明コントローラ２−１は、通信線８１で接続された第１端末器３−１にグループ制御指令を送信する。この信号のデータ領域には、Ｇ１−５０％、フェード１００という情報が含まれる。グループ制御指令を受信した複数の第１端末器３−１のうち、グループ１に属するＴＵ１〜ＴＵ４は、現在調光率７０％から目標調光率５０％まで調光率を変化させる。
【０１７２】
また、第２照度センサＬＳ２はグループ２にも属する。このため、第１照明コントローラ２−１は、第２照度センサＬＳ２の現在照度４００ｌｘを用いてグループ２の照度を制御する。
【０１７３】
まず、第２照明コントローラ２−２は昼光補正を行う。調光率７０％で点灯している照明器具２０から得られる照度は３５０ｌｘである。従って、昼光による照度の寄与分は、４００ｌｘ−３５０ｌｘ＝５０ｌｘとなる。補正係数Ｈとして５０％を用いた場合、補正後の昼光による照度は、２５ｌｘとなる。したがって、昼光入射時の現在の補正照度は、３５０ｌｘ＋２５ｌｘ＝３７５ｌｘとなる。目標照度が３００ｌｘであるから、照明器具２０から得られる照度を更に７５ｌｘ下げる必要がある。従って、グループ２の目標調光率は、５５％となる。
【０１７４】
第１照明コントローラ２−１は、通信線８１で接続された複数の第１端末器３−１にグループ制御指令を送信する。この信号のデータ領域には、Ｇ２−５５％、フェード１００という情報が含まれる。グループ制御指令を受信した複数の第１端末器３−１のうちグループ２に属するＴＵ５とＴＵ６は、現在調光率７０％から目標調光率５５％まで調光率を変化させる。
【０１７５】
次に、通信ｌに示されるように、第１照明コントローラ２−１が、第１照度センサＬＳ１及び第２照度センサＬＳ２の情報を新たに収集する動作について説明する。第１照明コントローラ２−１は、第１照度センサＬＳ１及び第２照度センサＬＳ２に照度センサ状態モニタを送信する。第１照度センサＬＳ１及び第２照度センサＬＳ２は、通信線８１を介して第１照明コントローラ２−１に照度センサ状態応答を送信する。
【０１７６】
次に、通信ｍに示されるように、第１照明コントローラ２−１は照度処理を行う。ここでは、実施の形態１と同様に第１照度センサＬＳ１が照度６００ｌｘを送信し、第２照度センサＬＳ２が照度５００ｌｘを送信した場合について説明する。第１照明コントローラ２−１は、第１照度６００ｌｘと第２照度５００ｌｘを加重平均する。加重平均した算出照度は５５０ｌｘとなる。
【０１７７】
次に、第１照明コントローラ２−１は昼光補正を行う。実施の形態１と同様に、グループ１の昼光による照度の寄与分は３００ｌｘとなる。補正係数Ｈとして５０％を用いた場合、補正後の昼光による照度は、１５０ｌｘとなる。したがって、グループ１の昼光入射時の現在の補正照度は４００ｌｘとなり、グループ１の新たな目標調光率は３０％となる。
【０１７８】
第１照明コントローラ２−１は、通信線８１で接続された複数の第１端末器３−１にグループ制御指令を送信する。この信号のデータ領域には、Ｇ１−３０％、フェード１００という情報が含まれる。グループ制御指令を受信した複数の第１端末器３−１のうち、グループ１に属するＴＵ１〜ＴＵ４は、現在調光率５０％から目標調光率３０％まで調光率を変化させる。
【０１７９】
また、第２照明コントローラ２−２は第２照度５００ｌｘを用いて昼光補正を行う。調光率５５％で点灯している照明器具２０から得られる照度は２７５ｌｘである。従って、昼光による照度の寄与分は、５００ｌｘ−２７５ｌｘ＝２２５ｘとなる。補正係数Ｈとして５０％を用いた場合、補正後の昼光による照度は、１１２．５ｌｘとなる。従って、昼光入射時の現在の補正照度は、２７５ｌｘ＋１１２．５ｌｘ＝３８７．５ｌｘとなる。目標照度が３００ｌｘであるから、照明器具２０から得られる照度を更に８７．５ｌｘ下げる必要がある。従って、グループ２の新たな目標調光率は、３７．５％となる。
【０１８０】
第１照明コントローラ２−１は、通信線８１で接続された複数の第１端末器３−１にグループ制御指令を送信する。この信号のデータ領域には、Ｇ２−３７．５％、フェード１００という情報が含まれる。グループ制御指令を受信した複数の第１端末器３−１のうちグループ２に属するＴＵ５とＴＵ６は、現在調光率５５％から目標調光率３７．５％まで調光率を変化させる。
【０１８１】
このように、本実施の形態では第１照明コントローラ２−１は、複数の照度センサにより送信された照度を用いて複数の端末器に制御信号を送信する。これにより、照度センサが１つのみの場合よりも照度を精度良く制御できる。また、照度センサの設置場所による昼光の影響の受けやすさの差から生じる測定誤差を抑制できる。また、昼光補正を行うことで、昼光の影響を考慮して精度良く調光制御ができる。即ち、照明空間の照度を確保しつつ、昼光による照度への寄与を考慮することで省エネを図ることができる。
【０１８２】
また、本実施の形態では、通信線８１で接続された第１照明コントローラ２−１、第１端末器３−１、第１照度センサＬＳ１および第２照度センサＬＳ２間の通信で調光制御を実現する。このため、通信のやり取りに伴う時間遅れの影響を抑制できる。
【０１８３】
なお、各実施の形態で説明した技術的特徴は適宜に組み合わせて用いてもよい。
【符号の説明】
【０１８４】
１  設定器、２−１  第１照明コントローラ、２−２  第２照明コントローラ、３−１  第１端末器、３−２  第２端末器、５−１  第１センサ、５−２  第２センサ、６  リモコンリレー、７  リモコントランス、１０、２１０  照明制御システム、１１  第１照明制御システム、１２  第２照明制御システム、２０  照明器具、８０  ＬＡＮ、８１  通信線
【図１】
2019200957.tif 000005
【図２】
2019200957.tif 000006
【図３】
2019200957.tif 000007
【図４】
2019200957.tif 000008
【図５】
2019200957.tif 000009
【図６】
2019200957.tif 000010
【図７】
2019200957.tif 000011
【図８】
2019200957.tif 000012
【図９】
2019200957.tif 000013
【図１０】
2019200957.tif 000014